(57)【要約】【課題】水（水道水）の浪費を抑え、安定した凍結防止を可能とする給水システムを提供する。【解決手段】給水循環流路３１と、給水循環流路３１に接続された給水源１１と、給水循環流路３１に接続された１以上の給水端末２１と、給水循環流路３１内の水を循環させる循環手段１４と、を備え、給水循環流路３１を、内部に給水往流路３２を構成した内管４６と、内管４６との間隙に給水返流路３３を構成した外管４７とから成る二重管３０で構成したものである。【選択図】  図１
2018044390.tif 000002
【特許請求の範囲】
【請求項１】
給水循環流路と、
前記給水循環流路に接続された給水源と、
前記給水循環流路に接続された１以上の給水端末と、
前記給水循環流路内の水を循環させる循環手段と、を備えたことを特徴とする給水システム。
【請求項２】
前記給水循環流路は、
前記給水源側を上流側とし前記各給水端末側を下流側する給水往流路と、
前記各給水端末側を上流側とし前記給水源側を下流側する給水返流路と、を有していることを特徴とする請求項１に記載の給水システム。
【請求項３】
前記給水循環流路は、
内部に前記給水往流路および前記給水返流路のいずれか一方を構成する内管と、前記内管との間隙に前記給水返流路および前記給水返流路の他方を構成する外管と、から成る二重管を有していることを特徴とする請求項２に記載の給水システム。
【請求項４】
前記給水往流路は、前記内管の内部に構成され、
前記給水返流路は、前記内管と前記外管との間隙に構成されていることを特徴とする請求項３に記載の給水システム。
【請求項５】
前記給水循環流路は、前記二重管と前記給水端末との間に介設した端末継手を有し、
前記端末継手は、
前記給水往流路に接続される往路先ポートと、
前記往路先ポートと同軸上に配設され、前記給水返流路に接続される返路元ポートと、
前記給水端末に接続される端末側ポートと、を有し、
前記往路先ポート、前記返路元ポートおよび前記端末側ポートは、相互に連通していることを特徴とする請求項３または４に記載の給水システム。
【請求項６】
前記給水源側において前記給水循環流路は、前記給水往流路を構成する給水源側往管と、前記給水返流路を構成する給水源側返管と、前記給水源側往管および前記給水源側返管と前記二重管との間に介設した二重管元継手と、を有し、
前記二重管元継手は、
前記二重管側の前記給水往流路に接続される往路元ポートと、
前記往路元ポートと同軸上に配設され、前記二重管側の前記給水返流路に接続される返路先ポートと、
前記給水源側往管に接続される給水源側往ポートと、
前記給水源側返管に接続される給水源側返ポートと、を有し、
前記往路元ポートは前記給水源側往ポートに連通し、前記返路先ポートは前記給水源側返ポートに連通していることを特徴とする請求項３ないし５のいずれか一項に記載の給水システム。
【請求項７】
前記給水源は、
外部からの水を補給可能に貯留する給水貯留部と、
前記給水貯留部内の水を、前記給水循環流路を介して前記１以上の給水端末に供給する給水送水部と、を有し、
前記給水貯留部および前記給水送水部は、前記給水循環流路に介設され、
前記給水送水部は、前記循環手段を兼ねていることを特徴とする請求項６に記載の給水システム。
【請求項８】
前記給水送水部の吸込口側は、前記給水貯留部に接続され、
前記給水源側往管の上流端は、前記給水送水部の吐出口側に接続され、
前記給水源側返管の下流端は、前記給水貯留部に接続されていることを特徴とする請求項７に記載の給水システム。
【請求項９】
前記給水送水部は、過圧停止機構を有するインバーター制御の給水ポンプで構成され、
前記給水源側返管には、前記過圧停止機構が作動しない範囲で、前記給水貯留部に流入する水の流量を絞る流量絞り手段が介設されていることを特徴とする請求項８に記載の給水システム。
【請求項１０】
前記給水源は、
外部からの水を、前記給水循環流路を介して前記１以上の給水端末に供給する直結給水送水部、を有し、
前記直結給水送水部は、前記給水循環流路に介設され、
前記直結給水送水部は、前記循環手段を兼ねていることを特徴とする請求項６に記載の給水システム。
【請求項１１】
前記給水源側往管の上流端は、前記直結給水送水部の吐出口側に接続され、
前記給水源側返管の下流端は、前記直結給水送水部の吸込口側に接続されていることを特徴とする請求項１０に記載の給水システム。
【請求項１２】
前記直結給水送水部は、過圧停止機構を有するインバーター制御の給水ポンプで構成され、
任意の１の前記給水端末には、予備の流出口を有する浴室用水栓が含まれ、
上流端を前記流出口に接続され下流端を浴槽に開放された浴槽放流管と、
前記浴槽放流管に介設され、前記過圧停止機構が作動しない範囲で、前記浴槽に流入する水の流量を絞る流量絞り手段と、を有することを特徴とする請求項１１に記載の給水システム。
【発明の詳細な説明】
【技術分野】
【０００１】
本発明は、主として寒冷地における住宅等の給水システムに関する。
【背景技術】
【０００２】
従来、この種の給水システムとして、給水主管と給水栓との間に循環管路が形成された給水システムが知られている（特許文献１参照）。この給水システムは、給水主管に接続された給水ヘッダーと、返水主管を介して給水主管に接続された返水ヘッダーと、給水ヘッダーと第１の給水栓とを接続する第１の給水管と、給水ヘッダーと第２の給水栓とを接続する第２の給水管と、返水ヘッダーと第１の給水栓とを接続する第１の返水管と、返水ヘッダーと第２の給水栓とを接続する第２の返水管と、を備えている。また、この給水システムは、第１の給水栓の近傍の第１の給水管に配設した温度センサーと、温度センサーの検出結果に基づいて、第１の給水栓を開閉する開閉制御手段と、が備えている。
この給水システムでは、第１の給水管（の水）が凍結しそうな温度（設定温度）を温度センサーが検出すると、開閉制御手段が第１の給水栓を開状態とする。これにより、第１の給水栓から水が吐出し、給水主管から２つの管路を介して第１の給水栓に水が供給されて、第１の給水栓の凍結防止が図られる。また、この水の供給により管路全体に水の流れが生じ、第２の給水栓側の凍結防止が図られる。
【先行技術文献】
【特許文献】
【０００３】
【特許文献１】特開２００２−５４１９２号公報
【発明の概要】
【発明が解決しようとする課題】
【０００４】
このような、従来の給水システムでは、第２の給水栓側の凍結防止において、第２の給水管および第２の返水管に微小な水の流れが生ずるものと思われる。すなわち、第１の給水栓の開放により、給水ヘッダー内の圧力と返水ヘッダー内の圧力との間で圧力差が生ずることが考えられる。そして、この圧力差は、Ｔ字形継手から給水ヘッダーに至る管路（給水主管）と、Ｔ字形継手から返水ヘッダーに至る管路（返水主管）と、の間で管摩擦損失に基づく圧力損失の差により生ずるものと考えられる。
したがって、従来の給水システムにおいて、第２の給水栓側の凍結防止を可能にするためには、第１の給水栓を全開する程度に多量の水を流す必要があり、水（水道水）を多量に浪費する問題がある。また、第２の給水管および第２の返水管が長い場合や、第３、第４等の他の給水栓がある場合には、給水管および返水管における圧力損失が大きくなり、微小な水の流れが期待できなくなる問題がある。
【０００５】
本発明は、水（水道水）の浪費を抑え、安定した凍結防止を可能とする給水システムを提供することを課題としている。
【課題を解決するための手段】
【０００６】
本発明の給水システムは、給水循環流路と、給水循環流路に接続された給水源と、給水循環流路に接続された１以上の給水端末と、給水循環流路内の水を循環させる循環手段と、を備えたことを特徴とする。
【０００７】
この場合、給水循環流路は、給水源側を上流側とし各給水端末側を下流側する給水往流路と、各給水端末側を上流側とし給水源側を下流側する給水返流路と、を有していることが好ましい。
【０００８】
これらの構成によれば、給水端末において水を使用すると、給水源側から給水循環流路を介して給水端末に水が供給される。一方で、循環手段を駆動すると給水循環流路内の水が循環する。すなわち、循環手段の駆動により、給水源と給水端末との間において水が循環することになる。この場合、給水端末の近傍においても給水循環流路内では水の流れが生じ、この流れにより給水端末内の水もわずかに流動する。このため、寒冷地等にあって、給水端末廻りの凍結防止を図ることができる。したがって、水（水道水）の浪費を抑え、安定した凍結防止を図ることができる。
なお、「給水端末」は、キッチン、浴室、洗面所、便所等の水場における水栓や止水栓等の衛生器具を意味する。
【０００９】
この場合、給水循環流路は、内部に給水往流路および給水返流路のいずれか一方を構成する内管と、内管との間隙に給水返流路および給水返流路の他方を構成する外管と、から成る二重管を有していることが好ましい。
【００１０】
この構成によれば、給水往流路および給水返流路を二重管で構成することができるため、施工が容易で配管スペースの省スペース化を図ることができる。また、保温材や支持金具等の節約を図ることができる。
なお、二重管は、保温を考慮し樹脂管で構成することが好ましい。
【００１１】
この場合、給水往流路は、内管の内部に構成され、給水返流路は、内管と外管との間隙に構成されていることが好ましい。
【００１２】
この構成によれば、複数の給水端末の同時使用を考慮して内管を決定することで、給水端末に対し適切な給水を行うことができる。一方、給水返流路は、水が流れればよいため、外管は物理的に内管が差し込め得る管径であればよい。したがって、呼び径において、外管を内管の２サイズアップとすることが好ましい。
【００１３】
また、給水循環流路は、二重管と給水端末との間に介設した端末継手を有し、端末継手は、給水往流路に接続される往路先ポートと、往路先ポートと同軸上に配設され、給水返流路に接続される返路元ポートと、給水端末に接続される端末側ポートと、を有し、往路先ポート、返路元ポートおよび端末側ポートは、相互に連通していることが好ましい。
【００１４】
この構成によれば、給水端末から水を流す（例えば水栓を開いた状態）と、給水循環流路内の水は、往路先ポート（および返路元ポート）から端末側ポートに流れる。一方、給水端末を使用しない場合（例えば水栓を閉じた状態）には、往路先ポートの水は返路元ポートに流れ、給水循環流路内を循環する。これにより、給水端末の近傍位置まで給水循環流路を構成することができる。
【００１５】
さらに、給水源側において給水循環流路は、給水往流路を構成する給水源側往管と、給水返流路を構成する給水源側返管と、給水源側往管および給水源側返管と二重管との間に介設した二重管元継手と、を有し、二重管元継手は、二重管側の給水往流路に接続される往路元ポートと、往路元ポートと同軸上に配設され、二重管側の給水返流路に接続される返路先ポートと、給水源側往管に接続される給水源側往ポートと、給水源側返管に接続される給水源側返ポートと、を有し、往路元ポートは給水源側往ポートに連通し、返路先ポートは給水源側返ポートに連通していることが好ましい。
【００１６】
この構成によれば、二重管元継手を用いることで、給水源側の給水源側往管および給水源側返管と、二重管とを簡単に接続することができる。したがって、既設の給水管を二重管に付け替える改修工事等においても、施工を容易に行うことができる。
【００１７】
一方、給水源は、外部からの水を補給可能に貯留する給水貯留部と、給水貯留部内の水を、給水循環流路を介して１以上の給水端末に供給する給水送水部と、を有し、給水貯留部および給水送水部は、給水循環流路に介設され、給水送水部は、循環手段を兼ねていることが好ましい。
【００１８】
この構成によれば、給水端末への水供給手段としての給水送水部を、給水循環流路内の水を循環させる循環手段として活用することができる。したがって、給水管を二重管とすることで、基本的な凍結防止機能を付加することができ、イニシャルコストおよびランニングコストの増加を十分に抑制することができる。
【００１９】
この場合、給水送水部の吸込口側は、給水貯留部に接続され、給水源側往管の上流端は、給水送水部の吐出口側に接続され、給水源側返管の下流端は、給水貯留部に接続されていることが好ましい。
【００２０】
この構成によれば、給水循環流路において、給水送水部から送り出された水は給水貯留部に戻される。このため、水を無駄に捨てることなく、且つ給水循環流路内に死に水を発生させることなく、凍結防止を図ることができる。
【００２１】
この場合、給水送水部は、過圧停止機構を有するインバーター制御の給水ポンプで構成され、給水源側返管には、過圧停止機構が作動しない範囲で、給水貯留部に流入する水の流量を絞る流量絞り手段が介設されていることが好ましい。
【００２２】
この構成によれば、インバーター制御の給水ポンプでは、最低限の回転数（吐出量）で、水を給水循環流路内で循環させることができる。したがって、凍結防止を図りつつ、ランニングコストの増加を極力に抑制することができる。
【００２３】
また、給水源は、外部からの水を、給水循環流路を介して前記１以上の給水端末に供給する直結給水送水部、を有し、直結給水送水部は、給水循環流路に介設され、直結給水送水部は、循環手段を兼ねていることが好ましい。
【００２４】
この構成によれば、給水端末への水供給手段としての直結給水送水部を、給水循環流路内の水を循環させる循環手段として活用することができる。したがって、給水管を二重管とすることで、基本的な凍結防止機能を付加することができ、イニシャルコストおよびランニングコストの増加を十分に抑制することができる。
【００２５】
この場合、給水源側往管の上流端は、直結給水送水部の吐出口側に接続され、給水源側返管の下流端は、直結給水送水部の吸込口側に接続されていることが好ましい。
【００２６】
この構成によれば、給水循環流路において、給水送水部から送り出された水は再度給水送水部に戻される。このため、水を無駄に捨てることなく、且つ給水循環流路内に死に水を発生させることなく、凍結防止を図ることができる。
【００２７】
この場合、直結給水送水部は、過圧停止機構を有するインバーター制御の給水ポンプで構成され、任意の１の給水端末には、予備の流出口を有する浴室用水栓が含まれ、上流端を流出口に接続され下流端を浴槽に開放された浴槽放流管と、浴槽放流管に介設され、過圧停止機構が作動しない範囲で、浴槽に流入する水の流量を絞る流量絞り手段と、を有することが好ましい。
【００２８】
この構成によれば、インバーター制御の給水ポンプでは、最低限の回転数（吐出量）で、水を給水循環流路内で循環させることができる。また、浴室用水栓から放出した水は、浴槽に受けられ無駄に捨てられることがない。したがって、凍結防止を図りつつ、ランニングコストの増加を極力に抑制することができる。
【図面の簡単な説明】
【００２９】
【図１】本発明を戸建て住宅に適用した第１実施形態に係る給水システムの配管系統図である。
【図２】第１実施形態に係る給水システムを模式的に表した配管系統図である。
【図３】実施形態の二重管元分岐継手の模式図（ａ）、二重管端末継手の模式図（ｂ）、二重管Ｔ字継手の模式図（ｃ）、二重管Ｌ字継手の模式図（ｄ）である。
【図４】第２実施形態に係る給水システムの配管系統図である。
【発明を実施するための形態】
【００３０】
以下、添付の図面を参照しながら、本発明の一実施形態に係る給水システムについて説明する。この給水システム（給水設備）は、寒冷地における住宅等において、凍結防止を考慮したものであり、以下、この給水システムを戸建て住宅に設けた場合について説明する。  
【００３１】
［第１実施形態］
図１は、水道事業者から配水された市水をいったん受水槽で受けて住戸内に供給する給水システムを表しており、図２は、この給水システムを模式的に表したものである。両図に示すように、給水システム１０は、いわゆる受水槽圧送給水方式であり、給水源１１を構成する受水槽１３（貯留部）および給水ポンプ１４（給水送水部）をユニット化した受水槽一体型のポンプユニット１２と、ポンプユニット１２から住戸内に配管された先分岐方式の給水配管１５と、を備えている。
【００３２】
ポンプユニット１２は、樹脂製の小型の受水槽１３と、インバーター制御の給水ポンプ１４（いわゆる「インバーターポンプ」）をユニット化したものであり、受水槽１３には、市水の引込み管１７が接続され、給水ポンプ１４には、給水配管１５が接続されている。引込み管１７は、市水の配水管１８から分岐し、水道メーター１９を経て受水槽１３に接続されている。なお、給水源１１は、必ずしも受水槽一体型のポンプユニット１２でなくてもよく、受水槽１３と給水ポンプ１４とを別々に設置するタイプのものであってもよい。
【００３３】
先分岐方式の給水配管１５は、給水ポンプ１４から浴室等の各給水端末２１に向かって大まかに配管された給水主管２２と、給水主管２２から分岐して各給水端末２１に向かって配管された複数の給水枝管２３と、で構成されている。受水槽１３にいったん貯留された水（水道水）は、給水端末２１の使用（流水感知）により駆動する給水ポンプ１４によって、給水配管１５を介して給水端末２１に供給される。
【００３４】
本実施形態における給水端末２１は、１階のキッチン、トイレ、浴室の洗い場、浴槽、洗面化粧台および洗濯機と、２階のトイレおよび洗面化粧台と、を有している。厳密な意味での給水端末２１は、キッチン、洗面化粧台および洗濯機では、水栓の手前に設けられている止水栓（図示省略）が、トイレでは、ロータンクの手前に設けられている止水栓（図示省略）がこれに相当する。浴室では、止水栓が無いため、洗い場や浴槽の水栓（混合栓）の繋込み管が、給水端末２１に相当する。
【００３５】
給水配管１５は、その主体を給水往流路３２および給水返流路３３を有する二重管３０で構成されている。給水往流路３２および給水返流路３３は、ポンプユニット１２（受水槽１３および給水ポンプ１４）を含めて給水循環流路３１を構成し、給水ポンプ１４を動力源として水を循環させるようにしている。すなわち、給水ポンプ１４は、給水端末２１に水を供給する本来の機能と、給水循環流路３１内で水を循環させる循環ポンプの機能と、を併せ持つものとなっている。給水循環流路３１としての給水往流路３２では、ポンプユニット１２側を上流側とし各給水端末２１側を下流側として水が流れ、給水返流路３３では、各給水端末２１側を上流側としポンプユニット１２側を下流側として水が流れる。
【００３６】
すなわち、給水ポンプ１４を駆動すると、受水槽１３から汲み上げられた水は、給水往流路３２を通って各給水端末２１（実際には、後述する二重管端末継手４２）に達する。さらに、各給水端末２１に達した水は、ここでＵターンし、給水返流路３３を通って受水槽１３に流れ込む。この給水端末２１の近傍まで給水循環流路３１を延長し、常に給水配管１５内を水が流れるようにしておくことで、給水端末２１廻りの凍結防止が図られる。一方、給水端末２１で水を使用すると、主に給水往流路３２から給水端末２１に向かって水が流れることとなる。
【００３７】
給水ポンプ１４の吐出側には、給水往流路３２の上流部を構成する給水源側往管３５が接続され、受水槽１３には、給水返流路３３の下流部を構成する給水源側返管３６が接続されている。また、言うまでもないが、ポンプユニット１２内において、給水ポンプ１４の吸込側は受水槽１３に接続されている。
【００３８】
ところで、凍結防止を目的とする給水循環流路３１内での水の循環流量は、給水端末２１への水の供給流量（水の使用）に比して、わずかなもので足りる。このため、給水ポンプ１４が最低限の回転数で制御（インバーター制御）されるように、受水槽１３に連なる給水源側返管３６には、流量を絞るべくオリフィス３７（流量絞り手段）が介設されている。すなわち、給水ポンプ１４が自動停止しないように、給水源側返管３６から受水槽１３に水を放出するが、オリフィス３７で流量を絞り込むことで、最低限の電力消費で水の循環を行うことができる。なお、給水ポンプ１４には、ポンプモーターの焼付きを防止するため、過圧停止機構３８（例えば水量センサー）が組み込まれている。このため、オリフィス３７の選定にあたっては、過圧停止機構３８が作動しない範囲で、給水源側返管３６の流量を絞ることが好ましい。
【００３９】
給水源側往管３５および給水源側返管３６と、給水配管１５の主体を為す二重管３０（給水主管２２）とは、二重管元分岐継手４１（二重管元継手）を介して接続されている。また、二重管３０で構成した給水配管１５（給水枝管２３）と各給水端末２１とは、二重管端末継手４２（端末継手）を介して接続されている。そして、給水配管１５の各分岐部分には二重管Ｔ字継手４３が、また給水配管１５の各屈曲部分には二重管Ｌ字継手４４が、それぞれ介設されている。
【００４０】
直管としての二重管３０は、内部に給水往流路３２を構成した内管４６と、内管４６との間隙に給水返流路３３を構成した外管４７とから成り、内管４６および外管４７は、共にポリブテン管等の樹脂管で構成されている。この場合、内管４６と外管４７との間に給水返流路３３としの適度な流路面積を確保すべく、実施形態の二重管３０では、呼び径において外管４７は内管４６の２サイズアップのものが用いられている。本実施形態では、給水対象が住宅であること、および衛生器具が比較的多いことを考慮し、内管４６を２０ｍｍ（呼び径）としている。また、外管４７は、内管４６の２サイズアップの３０ｍｍ（呼び径）とている。なお、図示では省略しているが、給水配管１５は、結露防止および凍結防止を考慮して保温材で被覆されている。
【００４１】
次に、図３を参照して、上記各種の二重管継手について簡単に説明する。
図３（ａ）は、二重管元分岐継手４１の模式図である。同図に示すように、二重管元分岐継手４１は、チーズの基本形態を有しており、二重管３０の内管４６（給水往流路３２）に接続される往路元ポート５１と、往路元ポート５１と同軸上に配設され、二重管３０の外管４７（給水返流路３３）に接続される返路先ポート５２と、給水源側往管３５に接続される給水源側往ポート５３と、給水源側返管３６に接続される給水源側返ポート５４と、を備えている。
【００４２】
そして、往路元ポート５１は給水源側往ポート５３に同軸上において連通し、返路先ポート５２は給水源側返ポート５４に直交軸上において連通している。給水ポンプ１４を駆動すると、給水源側往管３５から流入した水は、給水源側往ポート５３および往路元ポート５１を流れ、二重管３０の内管４６に流れ込む。一方、二重管３０の外管４７から流入した水は、返路先ポート５２および給水源側返ポート５４を流れ、給水源側返管３６に流れ込む。これにより、シングルの配管である給水源側往管３５および給水源側返管３６と、二重管３０の内管４６および外管４７とが適切に流路接続されるようになっている。
【００４３】
図３（ｂ）は、二重管端末継手４２の模式図である。同図に示すように、二重管端末継手４２は、アダプターの基本形態を有しており、二重管３０の内管４６（給水往流路３２）に接続される往路先ポート５６と、往路先ポート５６と同軸上に配設され、二重管３０の外管４７（給水返流路３３）に接続される返路元ポート５７と、給水端末２１（繋込み管等）に接続される端末側ポート５８と、を備えている。
【００４４】
そして、往路先ポート５６と端末側ポート５８とが同軸上において連通すると共に、往路先ポート５６の基部に形成した連通口５９を介して、往路先ポート５６と返路元ポート５７が連通している。すなわち、往路先ポート５６、返路元ポート５７および端末側ポート５８は、相互に連通している。二重管３０の内管４６を流れてきた水は、往路先ポート５６から連通口５９を介して返路元ポート５７に流れ、二重管３０の外管４７へと流れ込む。これにより、給水端末２１の直近まで給水循環流路３１が延在し、水の循環が行われる。一方、給水端末２１を使用する（水栓を開く）と、二重管３０の内管４６の水は、往路先ポート５６から端末側ポート５８を介して給水端末２１に流れ込む。
【００４５】
図３（ｃ）は、二重管Ｔ字継手４３の模式図である。同図に示すように、二重管Ｔ字継手４３は、チーズの基本形態を有しており、二重管３０の外管４７が三方から接続されるようにＴ字状を為す３つの外管接続ポート６１と、各外管接続ポート６１の内部に配設され、二重管３０の内管４６が三方から接続されるようにＴ字状を為す３つの内管接続ポート６２と、を備えている。同軸上に位置する２つの外管接続ポート６１および内管接続ポート６２には、例えば給水主管２２を構成する二重管３０が接続され、これに対し直交軸上に位置する１つの外管接続ポート６１および内管接続ポート６２には、給水枝管２３を構成する二重管３０が接続される。これにより、二重構造の給水配管１５の各分岐部分が構成されている。
【００４６】
図３（ｄ）は、二重管Ｌ字継手４４の模式図である。同図に示すように、二重管Ｌ字継手４４は、エルボの基本形態を有しており、二重管３０の外管４７が直交する二方向から接続されるようにＬ字状を為す２つの外管ポート６４と、各外管ポート６４の内部に配設され、二重管３０の内管４６が直交する二方向から接続されるようにＬ字状を為す２つの内管ポート６５と、を備えている。一方の外管ポート６４および内管ポート６５には二重管３０が接続されると共に、これに直交する他方の外管ポート６４および内管ポート６５にも二重管３０が接続される。これにより、二重構造の給水配管１５の各屈曲部分が構成されている。
【００４７】
次に、図２を参照して、給水ポンプ１４を主体とする給水システム１０の運転方法について、簡単に説明する。インバーターによる回転数制御で運転される給水ポンプ１４は、例えば吐出側の流水圧力が一定となるように回転数制御される。このため、給水端末２１が使用されたときの運転（自動運転）では、所定の圧力で且つ給水端末２１の同時使用に対応した流量（回転数）で給水が行われる。一方、給水端末２１を使用しないときの運転（自動運転）では、受水槽１３への放流量がオリフィス３７を介して絞り込まれているため、所定の圧力で且つ最低限の流量（回転数）で給水、すなわち水の循環が行われる。したがって、給水ポンプ１４は、２４時間運転となるが、循環のための電力消費は極めて少ないものとなる。
【００４８】
なお、給水循環流路３１（給水配管１５）内における水の循環は、冬季における給水端末２１廻りの凍結防止を主眼としている。このため、例えば外気温が所定の温度以下となったときにのみ、水の循環を行うようにしてもよい。具体的には、外気温の温度センサーが所定の温度以下を検出したときに、制御部が、給水源側返管３６に介設した電磁弁を開弁して、給水ポンプ１４を駆動（自動運転）させる。これにより、より一層の節電を図ることができる。
【００４９】
もっともこの場合には、給水循環流路３１（主として給水返流路３３）に「死に水」が生ずるおそれがある。そこで、給水端末２１の使用により給水ポンプ１４が駆動しているときにも、制御部は上記の電磁弁を開弁し、給水端末２１の使用に併せて給水循環流路３１内の水の循環を促進するようにすることが好ましい。
【００５０】
以上のように、第１実施形態の給水システム１０によれば、給水端末２１を使用すると、給水ポンプ１４が駆動し、給水配管１５（給水循環流路３１）を介して給水端末２１に水が供給される。また、給水端末２１を使用しない場合でも、オリフィス３７を介して少量の水が受水槽１３に放流されるため、給水ポンプ１４が低速回転で駆動し、給水循環流路３１内の水が循環する。すなわち、この給水システム１０では、給水ポンプ１４が電源ＯＮしている限りにおいて、給水循環流路３１内の水が常に循環する。
【００５１】
これは、冬季の寒冷地における住宅の給水システム１０において、凍結防止という意義を有している。すなわち、給水源１１と各給水端末２１との間において水が循環すると、給水端末２１の近傍においても給水循環流路３１内では水の流れが生じ、この流れにより給水端末２１内の水もわずかに流動する。流動する水は、凍結し難く、寒冷地等にあっては、給水端末２１廻りの凍結防止を図ることができる。したがって、水（水道水）の浪費を抑え、安定した凍結防止を図ることができる。
【００５２】
また、給水循環流路３１を構成する給水配管１５を、給水往流路３２および給水返流路３３を有する二重管３０で構成しているため、施工が容易で配管スペースの省スペース化を図ることができる。また、保温材や支持金具等の節約を図ることができる。したがって、イニシャルコストを抑制することができる。
【００５３】
［第２実施形態］
次に、図４を参照して、第２実施形態に係る給水システム１０Ａについて説明する。この給水システム１０Ａは、いわゆるポンプ直結方式（直結増圧給水方式）であり、給水源１１Ａ廻りの構成が第１実施形態と異なっている。そこで、以下、主に第１実施形態と異なる部分について説明する。
【００５４】
この実施形態では、上記のポンプユニット１２に代えて、引込み管１７に直結するように直結給水ポンプ７０（直結給水送水部）が設けられている。この場合も、直結給水ポンプ７０は、インバーターによる回転数制御で運転される。直結給水ポンプ７０の吸込口には、配水管１８から延びる引込み管１７が直接接続されている。また、給水源側返管３６の下流端は、直結給水ポンプ７０の近傍において引込み管１７に接続されている。すなわち、この場合の給水循環流路３１は、直結給水ポンプ７０を含む形で構成されている。
【００５５】
一方、水を循環させるための直結給水ポンプ７０の運転において、直結給水ポンプ７０が自動停止しないように、浴室の洗い場混合栓２１ａ（給水端末２１）には、水を浴槽に放流するための浴槽放流管７５が設けられている。この洗い場混合栓２１ａには、予備の流出口７６が設けられており、浴槽放流管７５は、上流端をこの流出口７６に接続され下流端を浴槽に開放されている。そして、この浴槽放流管７５には、第１実施形態の給水源側返管３６と同様に、オリフィス３７（流量絞り手段）が介設されている。
【００５６】
これにより、直結給水ポンプ７０は、水の循環に際し、過圧停止機構３８が作動しない範囲であって、最低限の流量（回転数）で制御される。したがって、最低限の電力消費で水の循環を行うことができる。なお、浴槽放流管７５が設けられる水栓は、浴槽の混合栓であってもよい。
【００５７】
以上のように、第２実施形態の給水システム１０Ａによれば、ポンプ直結方式であっても、第１実施形態と同様に、給水源１１と各給水端末２１との間において水が循環すると、給水端末２１の近傍においても給水循環流路３１内では水の流れが生じ、給水端末２１廻りの凍結防止を図ることができる。したがって、水（水道水）の浪費を抑え、安定した凍結防止を図ることができる。
【００５８】
また、給水循環流路３１を構成する給水配管１５を、二重管３０で構成しているため、施工が容易で配管スペースの省スペース化を図ることができる。また、保温材や支持金具等の節約を図ることができる。したがって、イニシャルコストを抑制することができる。
【００５９】
なお、これら実施形態の給水システム１０，１０Ａでは、給水配管１５を二重管３０で構成したが、シングル管で構成することも可能である。すなわち、給水配管１５を、給湯のリバース・リターン方式と同様となる給水往管および給水返管（図２参照）の２本の配管で構成してもよい。
【００６０】
また、上記の給水システム１０，１０Ａでは、給水循環流路３１内の水を受水槽１３や浴槽に放流するとことで、給水ポンプ１４や直結給水ポンプ７０を循環手段として兼用しているが、給水循環流路３１内の水を地流し等に放流する（この場合は、水を捨てることになる）ようにしてもよい。
さらに、給水配管１５に給水循環流路３１を構成し（受水槽１３および給水ポンプ１４（直結給水ポンプ７０）は、給水循環流路３１に含めない）、この給水循環流路３１に専用の小型の循環ポンプを設けるようにしてもよい。
【符号の説明】
【００６１】
１０，１０Ａ…給水システム、１１，１１Ａ…給水源、１２…ポンプユニット、１３…受水槽、１４…給水ポンプ、１５…給水配管、２１…給水端末、２１ａ…洗い場混合栓、２２…給水主管、２３…給水枝管、３０…二重管、３１…給水循環流路、３２…給水往流路、３３…給水返流路、３５…給水源側往管、３６…給水源側返管、３７…オリフィス、３８…過圧停止機構、４１…二重管元分岐継手、４２…二重管端末継手、４３…二重管Ｔ字継手、４４…二重管Ｌ字継手、４６…内管、４７…外管、５１…往路元ポート、５２…返路先ポート、５３…給水源側往ポート、５４…給水源側返ポート、５６…往路先ポート、５７…返路元ポート、５８…端末側ポート、５９…連通口、７０…直結給水ポンプ、７５…浴槽放流管、７６…流出口
【図１】
2018044390.tif 000003
【図２】
2018044390.tif 000004
【図３】
2018044390.tif 000005
【図４】
2018044390.tif 000006